(57)【要約】【課題】容易かつ迅速に面材の取り付けが行え、取り付け時においてぐらつくことなく安定したフレームを備え、面材を堅固に固定できる、フレーム扉を提供する。【解決手段】矩形状のフレーム１内に面材２を嵌め込んでなるフレーム扉において、フレーム１を構成する一つのフレーム辺３に差し込み口４を設け、このフレーム辺３に隣接する両側のフレーム辺３にガイド溝５を設け、面材２を差し込み口４から差し込んでガイド溝５に沿って摺動させることによりフレーム１内に嵌め込み、差し込み口４を蓋片６によって塞いでなる。【選択図】図１
2007085089.tif 000002
【特許請求の範囲】
【請求項１】
矩形状のフレーム内に面材を嵌め込んでなるフレーム扉において、フレームを構成する一つのフレーム辺に差し込み口を設け、このフレーム辺に隣接する両側のフレーム辺にガイド溝を設け、面材を差し込み口から差し込んでガイド溝に沿って摺動させることによりフレーム内に嵌め込み、差し込み口を蓋片によって塞いでなるフレーム扉。
【請求項２】
フレームに蓋片を回動自在に結合して、この蓋片により差し込み口が開閉されるようになしたことを特徴とする請求項１記載のフレーム扉。
【請求項３】
蓋片の内側に、面材の端部に嵌合する蓋溝を設けたことを特徴とする請求項１又は２記載のフレーム扉。
【請求項４】
蓋片の外側に、扉を開閉するための突出した取っ手片を備えたことを特徴とする請求項１〜３のいずれか１項記載のフレーム扉。
【請求項５】
差し込み口を設けたフレーム辺と対向するフレーム辺の内側に、面材の端部に嵌合される安定溝を設けたことを特徴とする請求項１〜４のいずれか１項記載のフレーム扉。
【発明の詳細な説明】
【技術分野】
【０００１】
本願発明は、矩形状のフレーム内に面材を嵌め込んでなるフレーム扉に関するものである。
【背景技術】
【０００２】
従来から、特開平１０−１８４２０８号公報（特許文献１）に示されるように、ガラス等の着脱を容易にした建具は知られている。この建具は図４に示すように、左右の框及び上下の框とで框枠を構成し、各框に設けたガラス等１２の嵌合部にガラス等１２を嵌め込む建具であって、框と一体の固定片１３と別体の着脱片１４により構成され、着脱片１４の掛体１５を固定片１３の受体１６に掛け合わせてガラス等１２を挟持固定するものである。これにより、建具を組ばらしすることなくガラス等１２の着脱及び交換を行える建具が得られるとされている。
【０００３】
また、特開２００３−１８４４４６号公報（特許文献２）に示されるように、鏡板等の交換を容易にしたドアも知られている。このドアは、図５に示すように、縦框１８の脱着端に連結している横框１９を外し、鏡板等１７をガイド溝５に沿って、摺動させて交換できるようにしたものである。これにより、使用者が自分に最適な鏡板等１７を容易に交換でき、便利に使用できるとされている。
【特許文献１】特開平１０−１８４２０８号公報
【特許文献２】特開２００３−１８４４４６号公報
【発明の開示】
【発明が解決しようとする課題】
【０００４】
しかしながら、特開平１０−１８４２０８号公報に示される上記従来例の建具にあっては、ガラス等１２の着脱時に建具を組みばらしする必要がないものの、各框にある合計で４つの着脱片１４を取り付けたり取り外したりしなければならないため、手間がかかるという問題がある。また、着脱片１４が４つに分かれ、固定片１３と着脱片１４とによりガラス等１２の表裏面を挟持固定するという構造は面方向の力に弱く、保持強度が低いという問題もある。
【０００５】
特開２００３−１８４４４６号公報に示される上記従来例のドアにあっては、鏡板等１７をガイド溝５に沿うように摺動させて交換できるものの、交換時には縦框１８の脱着端に連結している横框１９を外さなければいけないため、両側の縦框１８がぐらつきやすくなり不安定になって、鏡板等１７を摺動させにくくなるという問題がある。また、横框１９の取り付け、取り外し時には、脱着連結具２０の取り付け、取り外しもしなければならず、手間がかかるという問題もある。
【０００６】
本願発明は上記背景技術に鑑みて発明されたものであり、その課題は容易かつ迅速に面材の取り付けが行え、そして、取り付け時においてぐらつくことなく安定したフレームを備え、更に、面材を堅固に固定できるフレーム扉を提供することである。
【課題を解決するための手段】
【０００７】
上記課題を解決するために、本願請求項１記載の発明では、矩形状のフレーム内に面材を嵌め込んでなるフレーム扉において、フレームを構成する一つのフレーム辺に差し込み口を設け、このフレーム辺に隣接する両側のフレーム辺にガイド溝を設け、面材を差し込み口から差し込んでガイド溝に沿って摺動させることによりフレーム内に嵌め込み、差し込み口を蓋片によって塞いでなっている。
【０００８】
又、本願請求項２記載の発明では、上記請求項記載のフレーム扉において、蓋片を回動自在に結合して、この蓋片により差し込み口が開閉されるようになしたことを特徴としている。
【０００９】
又、本願請求項３記載の発明では、上記請求項１又は２記載のフレーム扉において、蓋片の内側に、面材の端部に嵌合する蓋溝を設けたことを特徴としている。
【００１０】
又、本願請求項４記載の発明では、上記請求項１〜３のいずれか１項記載のフレーム扉において、蓋片の外側に、扉を開閉するための突出した取っ手片を備えたことを特徴としている。
【００１１】
又、本願請求項５記載の発明では、上記請求項１〜４のいずれか１項記載のフレーム扉において、差し込み口を設けたフレーム辺と対向するフレーム辺の内側に、面材の端部に嵌合される安定溝を設けたことを特徴としている。
【発明の効果】
【００１２】
本願請求項１記載の発明のフレーム扉においては、矩形状のフレーム内に面材を差し込み口から差し込んでガイド溝に沿って摺動させることによりフレーム内に嵌め込み、差し込み口を蓋片によって塞ぐことにより、面材の取り付けが容易かつ迅速に行える。又、フレームが矩形状を維持したまま面材の取り付けが可能となるため、フレームはぐらつくことなく安定し、フレームが変形しにくくなるとともに、確実に面材の取り付けができる。又、ガイド溝に面材の端部を嵌合させることで、面材を堅固に固定できる。
【００１３】
本願請求項２記載の発明のフレーム扉においては、特に、フレームに蓋片を回動自在に結合したので、容易に差し込み口を開閉することができる。これにより、面材の交換が容易かつ迅速に行え、メンテナンスも面材の差し替えのみで実施でき、面材の表裏両面を使用することで容易に化粧面も変更できる。
【００１４】
本願請求項３記載の発明のフレーム扉においては、特に、蓋片の内側に設けた蓋溝が面材の端部に嵌合することで、面材をより堅固に固定することができる。
【００１５】
本願請求項４記載の発明のフレーム扉においては、特に、蓋片の外側に備えた取っ手片を利用することで、容易に差し込み口を塞ぐことができる。
【００１６】
本願請求項５記載の発明のフレーム扉においては、特に、差し込み口を設けたフレーム辺と対向するフレーム辺の内側に設けた安定溝に面材の端部が嵌合することで、面材の取り付け時においてもフレームがぐらつくことなくより安定し、そして、面材をより堅固に固定することができる。
【発明を実施するための最良の形態】
【００１７】
図１、２は本願請求項1〜５全てに対応した一実施形態であり、図１は面材２嵌合時におけるフレーム扉を、図２は面材２がフレーム１に嵌合する過程を、示している。
【００１８】
このフレーム扉は、図１、２に示すように、矩形状のフレーム１を構成する一つのフレーム辺３ｂに差し込み口４を設け、このフレーム辺３ｂに隣接する両側のフレーム辺３ａにガイド溝５を設け、面材２を差し込み口４から差し込んでガイド溝５に沿って摺動させることによりフレーム１内に嵌め込み、差し込み口４を蓋片６によって塞いでなる。
【００１９】
又、このフレーム扉では、フレーム１に蓋片６を回動自在に結合して、この蓋片６により差し込み口４が開閉されるようになしている。そして、この蓋片６の内側に、面材２の端部に嵌合する蓋溝７を設け、蓋片６の外側に扉を開閉するための突出した取っ手片８を備えている。更に、差し込み口４を設けたフレーム辺３ｂと対向するフレーム辺３ｃの内側に、面材２の端部に嵌合される安定溝９を設けている。
【００２０】
以下、この実施形態のフレーム扉をより具体的詳細に説明する。図１、２に示すように、フレーム１は矩形状でアルミニウム等からなる。このフレーム１は、４つのアルミニウム型材からなるフレーム辺３から構成され、このフレーム辺３の一つであるフレーム辺３ｂに、木材等からなる面材２を差し込むための差し込み口４を設けている。この差し込み口４は差し込む面材２に合わせるために基本的に矩形状であるが、差し込み口４の口縁外周が一部欠如していてもよい。このフレーム辺３ｂに隣接する両側のフレーム辺３ａに、面材２を摺動させるために、面材２の両サイド端部を沿わせるガイド溝５を設けている。更に、フレーム辺３ｂと対向するフレーム辺３ｃの内側に、ガイド溝５に沿って差し込んだ面材２の端部を嵌合させるための安定溝９を設けている。そして、フレーム辺３ｃとほぼ同程度の幅と奥行きである、アルミニウム等からなる蓋片６が差し込み口４を塞いでいる。
【００２１】
この蓋片６は、フレーム辺３ｂと回動自在に結合して、差し込み口４が開閉されるようになしている。本実施形態においては、フレーム扉の後側で蓋片６とフレーム辺３ｂとが結合しているので、蓋片６が回動するための軸部が後側に位置している。そして、この蓋片６の内側に面材２の端部に嵌合する蓋溝７を設け、蓋片６の外側に扉を開閉するための突出した取っ手片８を備えている。この取っ手片８は、フレーム扉の後側に蓋片６に対して垂直方向に備えられている矩形状の後片８ａと、フレーム扉の前側に蓋片６に対して垂直方向に備えられている湾曲状の前片８ｂと、を有する。なお、後片８ａは前片８ｂよりも長くなっている。使用者はこの後片８ａと前片８ｂとの間に手を入れ、前片８ｂを掴みながら押し引きすることで、フレーム扉の開閉を行う。
【００２２】
図２は、面材２を取り付けるために、この取っ手片８を用いて面材２をフレーム１に嵌合する過程を示す。面材２を嵌合するには、まず、図２（ａ）に示すように、取っ手片８を用いて蓋片６を回動することで差し込み口４を開けた状態にし、面材２が差し込むことができるようにする。次に、図２（ｂ）に示すように、差し込み口４から面材２を差し込んでいく。なお、図２には示されていないが、この時は面材２の両サイド端部をガイド溝５に沿わせて差し込んでいく。次に、図２（ｃ）に示すように、面材２を完全に差し込み、安定溝９に面材２の端部を嵌合させる。次に、図２（ｄ）に示すように取っ手片８を引き、蓋片６を閉じていく。そして、図２（ｅ）に示すように取っ手片８を引き切った状態にし、差し込み口４を完全に閉じる。そして、面材２の端部に蓋溝７を嵌合させる。これによって面材２はフレーム１に嵌合される。
【００２３】
又、ガイド溝５と安定溝９とに隣接する位置に取り付け用金具の部品等を結合できる機能部材溝１０を設けている。更に、フレーム辺３ｂにおけるフレーム辺３ｃの機能部材溝１０に対向する位置にも機能部材溝１０を設けている。図３に示すように、三角形状の結合具１１をフレーム辺３ａとフレーム辺３ｃの機能部材溝１０に嵌合させ、これと同様に各フレーム辺３同士を結合させることで固定している。更に、フレーム扉の開閉を行うために、フレーム辺３ａの機能部材溝１０に丁番を結合させ、この丁番を用いて他の箇所と回動自在に結合させる。
【００２４】
したがって、この実施形態のフレーム扉においては、矩形状のフレーム１内に面材２を差し込み口４から差し込んでガイド溝５に沿って摺動させることによりフレーム１内に嵌め込み、差し込み口４を蓋片６によって塞ぐことにより、面材２の取り付けが容易かつ迅速に行える。又、フレーム１が矩形状を維持したまま面材２の取り付けが可能となるため、フレーム１はぐらつくことなく安定し、フレーム１が変形しにくくなるとともに、確実に面材２の取り付けができる。又、ガイド溝５に面材２の端部を嵌合させることで、面材２を堅固に固定できる。
【００２５】
又、フレーム１に蓋片６を回動自在に結合したので、容易に差し込み口４を開閉することができる。これにより、面材２の交換が容易かつ迅速に行え、メンテナンスも面材２の差し替えのみで実施できる。更に、面材２を簡単に交換することが可能になったことで、面材２の裏表両面を活用して化粧面を容易に変更することができる。これによって、使用者において化粧面をアレンジすることができ、固定のデザインだけでなく、幅広いデザインパターンを楽しむことができる。又、フレーム３ｂと結合している蓋片６を回動させることで、差込口４を開閉するので、取り付けをするための他の部品等もいらず、コストと手間とを削減できる。本実施形態においては、蓋片６が回動するための軸部が後側に位置しているうえに、面材２が嵌合された状態では面材２と蓋片６によって隠れるため、正面からは完全に見えなくなる。これにより、フレーム扉の外観が損なわれにくくなる。
【００２６】
又、蓋片６の内側に設けた蓋溝７が面材２の端部に嵌合することで、面材２をより堅固に固定することができる。
【００２７】
又、蓋片６の外側に備えた取っ手片８を利用することで、容易に差し込み口４を塞ぐことができる。更に、本実施形態の取っ手片８においては、フレーム扉の前側に前片８ｂを有し、前片８ｂを掴みながら押し引きすることでフレーム扉の開閉を行える。そして、フレーム扉の後側で蓋片６とフレーム辺３ｂとが結合しているため、蓋片６が回動するための軸部が後側に位置し、前片８ｂを引くとよりきつく蓋片６は閉じることになり、更に、前片８ｂを押しても軸部に力が伝わらない。よって、通常のフレーム扉の使用で誤って蓋片６が回動するようなことはない。更に、前片８ｂは後片８ａよりも短く、凹部が前側になるように湾曲しているので掴みやすい。又、取っ手片８はフレーム扉の後側に後片８ａを有し、後片８ａを掴みながら押し引きすることで蓋片６を回動できる。そして、フレーム扉の後側で蓋片６とフレーム辺３ｂとが結合しているため、蓋片６が回動するための軸部が後側に位置し、後片８ａを押し引きする時に力が伝わりやすく、蓋片６を回動しやすくなる。更に、後片８ａは前片８ｂよりも長く、より力が伝わりやすい。
【００２８】
又、特に、差し込み口４を設けたフレーム辺３ｂと対向するフレーム辺３ｃの内側に設けた安定溝９に面材２の端部が嵌合することで、面材２の取り付け時においてもフレーム１がぐらつくことなくより安定し、そして、面材２をより堅固に固定することができる。この安定溝９と蓋溝７とガイド溝５とに面材２の端部が嵌合することで、面材２の四周端部は各溝に嵌合し、面材２は確実に固定される。
【００２９】
又、機能部材溝１０を設けることによって、三角形状の結合具１１をフレーム辺３ａとフレーム辺３ｃの機能部材溝１０に嵌合させることができる。これと同様に、各フレーム辺３同士を容易かつ迅速に結合させることでき、施工性が向上する。更に、フレーム辺３ａの機能部材溝１０に丁番を結合させ、この丁番を用いて他の箇所と回動自在に結合させることによって、フレーム辺３ａを軸にフレーム扉が回動する。これによって、フレーム扉を押し引きすることでフレーム扉の開閉を行うことが出来る。
【００３０】
なお、本実施形態ではフレーム辺３ａの機能部材溝１０に丁番を結合させ、フレーム辺３ａを軸にフレーム扉が回動するようにしたが、フレーム扉の実施形態はこれに限られるものではない。例えば、フレーム辺３ｃに丁番を結合させ、フレーム辺３ａを上下にして、丁番を用いて他の箇所と回動自在に結合させることで、フレーム辺３ｃを軸にフレーム扉が回動するという実施形態でもよい。又、フレーム辺３ａを上下にして、フレーム扉を摺動させるような引き戸としての実施形態でもよい。又、フレーム辺３ａを左右にして、フレーム辺３ｃを他の箇所と回動自在に結合させ、フレーム辺３ｃを軸としてフレーム扉を前後に回動するという実施形態でもよい。又、フレーム扉を引き出しの前面板として使用するという実施形態でもよい。
【図面の簡単な説明】
【００３１】
【図１】本願発明の一実施形態である面材嵌合時におけるフレーム扉を示す斜視図。
【図２】同実施形態における面材がフレームに嵌合する過程を示す縦断面図。
【図３】同実施形態におけるフレーム辺の結合状態を示す斜視図。
【図４】従来例である建具におけるガラス等の挟持固定状態を示す拡大縦断面図。
【図５】従来例であるドアにおける鏡板等の嵌合状態を示す正面図。
【符号の説明】
【００３２】
１  フレーム
２  面材
３（３ａ、３ｂ、３ｃ）  フレーム辺
４  差し込み口
５  ガイド溝
６  蓋片
７  蓋溝
８  取っ手片
８ａ  後片
８ｂ  前片
９  安定溝
１０  機能部材溝
１１  結合具
１２  ガラス等
１３  固定片
１４  着脱片
１５  掛体
１６  受体
１７  鏡板等
１８  縦框
１９  横框
２０  脱着連結具
【図１】
2007085089.tif 000003
【図２】
2007085089.tif 000004
【図３】
2007085089.tif 000005
【図４】
2007085089.tif 000006
【図５】
2007085089.tif 000007